(57)【要約】      （修正有）【課題】ラップ製造工程において付加工程を皆無にし、安価にラップフィルム製造が可能になりしかも、ラップケースへのスタンプ器の跨ぎ設置は、製造後の後付けで十分である等のすぐれた効果を呈するラップケースを提供する。【解決手段】底壁面１０１と前壁面１０２と後壁面１０３と蓋壁面１０４と両側壁面１０５，１０６を有して巻状態のラップフィルム２００を収容するボックスを形成し、蓋壁面の先端部と前壁面の上端部との間をラップフィルムの先端部２０１の引出し部とし、蓋壁面の先端部の延長部にボックス外に位置してラップフィルムの先端部をガイドする引出しガイド１０７を有し、引出ガイドの先端縁に切り刃１０８を形成したラップケース１００において、引出ガイドの内面側で且つ前壁面の表面上部にスタンプ器３００を着脱可能に装着し、スタンプ器は前部にインク塗布部又は押し圧刻印部を露出形成し、インク塗布部又は押し圧刻印部用のスタンプ蓋を設けた。【選択図】図１
0003207243.tif 000002
【実用新案登録請求の範囲】
【請求項１】
底壁面と前壁面と後壁面と蓋壁面と両側壁面を有して巻状態のラップフィルムを収容するボックスを形成し、前記蓋壁面の先端部と前記前壁面の上端部との間をラップフィルムの先端部の引出し部とし、前記蓋壁面の先端部の延長部にボックス外に位置してラップフィルムの先端部をガイドする引出しガイドを有し、前記引出ガイドの先端縁に切り刃を形成したラップケースにおいて、前記引出ガイドの内面側で且つ前壁面の表面上部にスタンプ器を着脱可能に装着し、前記スタンプ器は前部にインク塗布部又は押し圧刻印部を露出形成し、前記インク塗布部又は押し圧刻印部用のスタンプ蓋を設けたことを特徴とするラップケース。
【考案の詳細な説明】
【技術分野】
【０００１】  本考案は、ラップケースに関するものである。
【背景技術】
【０００２】ラップ（：ｗｒａｐ：包むこと、包む物、包装紙）製品、例えばボックスケース内に筒状に巻かれて収納された食品包装用の薄い透明なラップフィルムは、ケースから引き出して使用する際、ラップ先端が筒状に巻かれたラップフィルムに貼り付いて、引き出すことが困難である。また引き出し途中で垂れ下がり重なり粘着して、剥すラップ先端の位置が不明で手間が掛かる。更にラップフィルムで包んだ後、中身を取り出す際、剥す端が不明で手間が掛かるなど使用に際しての問題が山積している。【０００３】  この問題を解決しようとして特許文献１〜特許文献５にて公知のように種々の発明・考案が紹介されている。【０００４】特許文献１では、図５に示すように、食品包装用の、薄い透明ラップフィルムの幅方向両側部に、ライン状の目印を配置して、取り口が分るようにして、ラップフィルムの引き出しと剥しを容易にした食品包装用ラップフィルムが紹介されている。【０００５】特許文献２では、図６に示すように、食品包装用の、薄い透明なラップフイルムに曲線・斜線状に、多様性のカラーイラストを付けて楽しむと共に、イラストが目印となり切り目が、判りやすく、中高年に扱いやすくした、イラスト付き食品ロールラップフイルムが紹介されている。【０００６】特許文献３では、図７に示すように、フイルム地の端部に沿って設けた目印部を手がかりにして、フイルム地の端部片を見つけ内部の食品などを容易に取り出せるようにするため、合成樹脂材からなる薄いフイルム地の少なくとも一端部に、該フィルム地の長手方向に沿って目印部２７を連続的に設ける。前記目印部２７は、直線状または点線状の連続模様を設けたり、白黒、各種カラーまたは蛍光色に着色したり、直線状または点線状の連続模様に一定間隔ごとに計測目印部を設け、さらに、該薄いフィルム地の長手方向の少なくとも一端部に沿った裏面に、帯状の非接着面部を連続して設けると共に該非接着面部の表面部分に、白黒、各種カラーまたは蛍光色に着色した目印部を設けてあるラップフィルムが紹介されている。【０００７】特許文献４では、図８に示すように、フィルム巻体であるラップフィルムに芯体が無く、フィルムの幅方向にフィルムカット用のミシン目が形成され且つ各ミシン目の近傍に円形の目印が施されているラップフィルムが紹介されている。【０００８】特許文献５では、図９に示すように、ラップフィルム１において、幅方向両端２ａ、２ｂに色目印をつけることによりフィルムを引き出したときも、ラップしたフィルムを剥がすときも色付けした部分が線状になっているので容易に端を見つけることが出来、また該両端に色目印がつくことによりフィルムの有る範囲が一目でわかるので扱いやすいとするラップフィルムが紹介されている。
【先行技術文献】
【特許文献】
【０００９】
【特許文献１】特開２０１５−２０５７２７号公報
【特許文献２】特開２００４−８３１２８号公報
【特許文献３】実用新案登録第３０８４１１２号公報
【特許文献４】特開平０９−２１６６３５号公報
【特許文献５】特開２００３−３３５３６１号公報
【考案の開示】
【考案が解決しようとする課題】
【００１０】  しかしながら、上記各特許文献で紹介されている発明考案は、いずれも次の欠点がある。
１）、ラップフィルムの全長に亘り、ライン状、曲線・斜線状、点線状、連続模様、カラ      ーイラスト、帯状の非接着面部、ミシン目、ドット等々の目印を付加するため、製      造工程において目印の印刷工程、プレス工程、ミシン目加工工程等が加わる煩雑な      ものとなり且つコスト高となる。
２）、薄く透明なラップフィルムに目印を付加するため、巻状態では目印が幾重にも重な      り端部の見分けに混乱を生じる。
３）、ラップフィルム巻状態では、目印の付加部が重なり若干厚くなるため、コイリング      工程でのセンタリングが困難になり、ビルドアップなどの巻形状変形を起こしやす      い。【００１１】  本考案は、上記の欠点を全て皆無にしたラップケースを提供する。
【課題を解決するための手段】
【０００９】  即ち、本考案のラップケースの技術的特徴とするところは次の（１）の通りである。【００１０】（１）、底壁面と前壁面と後壁面と蓋壁面と両側壁面を有して巻状態のラップフィルムを収容するボックスを形成し、前記蓋壁面の先端部と前記前壁面の上端部との間をラップフィルムの先端部の引出し部とし、前記蓋壁面の先端部の延長部にボックス外に位置してラップフィルムの先端部をガイドする引出しガイドを有し、前記引出ガイドの先端縁に切り刃を形成したラップケースにおいて、前記引出ガイドの内面側で且つ前壁面の表面にスタンプ器を着脱可能に装着し、前記スタンプ器は前部にインク塗布部又は押し圧刻印部を露出形成し、前記インク塗布部又は押し圧刻印部用のスタンプ蓋を設けたことを特徴とするラップケース。
【考案の効果】
【００１１】  本考案のラップケースは、前記スタンプ器を備えたことにより、ラップケースからラップフィルムを引き出して切り離す際に、予めスタンプ蓋を開状態にしたスタンプ器のインク塗布部又は押し圧刻印部に当該切り離そうとするラップフィルムの後端部又は前端部の任意の面部を押し当てて目印を付与するものである。
この他にラップフィルムの後端部をスタンプ器のインクインク塗布部に又は押し圧刻印部に押し当てる手段は、ラップフィルムを切る際に、前記引出ガイドの内面側とインク塗布部間にフィルム後端部又は前端部の任意の面部を挟んで押さえることで、ラップ切りと同時に塗布目印又は刻印目印を付与することもできる。
このスタンプ器によるラップフィルムへのスタンプ作用により、従来のようなラップフィルムの全長に目印を付与することは皆無になり、ラップフィルム製造工程になんら問題をもたらすことなく安価にラップフィルム製造が可能になる。しかも、ラップケースの前壁面へのスタンプ器は、面ファスナー、跨ぎ式掛け具、適宜な公知のクリップにより簡単に着脱可能に設置することが可能な為、製造後のラップケースにスタンプ器を後付けが出来、また一台のスタンプ器で新規なラップケースに順次交換使用することが出来るなどのすぐれた効果を呈する。
【図面の簡単な説明】
【００１２】
【図１】本考案のラップケースの実施例を示す斜視説明図である。
【図２】図１に示すラップケースの蓋壁面を閉めた状態を示す斜視説明図である。
【図３】図１に示すスタンプ器の拡大図であり、スタンプ器はインク塗布部式である。
【図４】図１に示すスタンプ器の拡大図であり、スタンプ器は押し圧刻印部式である。
【図５】特許文献１で紹介の食品包装用ラップフィルムをしめす説明図。
【図６】特許文献２で紹介の食品包装用ラップフィルムをしめす説明図。
【図７】特許文献３で紹介の食品包装用ラップフィルムをしめす説明図。
【図８】特許文献４で紹介の食品包装用ラップフィルムをしめす説明図。
【図９】特許文献５で紹介の食品包装用ラップフィルムをしめす説明図。
【考案を実施するための形態】
【００１３】  本考案のラップケースの実施形態は、実施例１〜２により詳細に説明する。
【実施例１】
【００１４】  図１及び図２において、ラップケース１００は、底壁面１０１と前壁面１０２と後壁面１０３と蓋壁面１０４と両側壁面１０５，１０６を有して巻状態のラップフィルム２００を収容するボックスを形成し、前記蓋壁面１０４と前記前壁面１０２との間をラップフィルム２００の先端部２０１の引出し部とし、前記蓋壁面１０４の延長部にボックス外に位置してラップフィルム２００の先端部２０１をガイドする引出しガイド１０７を有し、前記引出ガイド１０７の先端縁に切り刃１０８を形成してある。
このラップケース１００において、スタンプ器３００を設置するが、図３にはスタンプ器３００−１例を示し、図４にはスタンプ器３００−２例を示してある。【００１５】  図３に示すスタンプ器３００−１は、前記引出ガイド１０７の内面側で且つ前壁面１０２の前面上部に基台３０１に設けた跨ぎ部材３０１ａを着脱可能に跨ぎ装着し、前記跨ぎ部材３０１ａの前部にインク充填部を内蔵したインク塗布部３１０を突出して設け、この前側下他部に取っ手３３１ａ付きのスタンプ蓋３３１を磁石やホックボタン等の着脱具４００ａを配置して開閉可能に設ける。
これで、ラップケース１００からラップフィルム２００の先端部２０１を引き出して切り離す際に、予めスタンプ蓋３３１を開状態にしたインク塗布部３１０に当該切り離そうとするラップフィルムの後端部又は前端部の任意の面部を押し当てインク塗布目印を付与するものである。またラップフィルム２００を切る際に、前記引出ガイドの内面側とインク塗布部３１０間にフィルム後端部又は前端部の任意の面部を挟んで押さえることで、ラップ切りと同時に塗布の目印６００をより明確に付与することができる。
インク塗布部３１０に補充するインクは、例えば無害で、加熱に強く、加熱にも水にも溶けず、乾けば塗布状態を保持する「旭化成社製のラップに書ける安全な水性インク」が好ましいが、加熱しなければ一般の油性インク、水性インクでも構わない。【００１６】  図４に示すスタンプ器３００−２は、前記引出ガイド１０７の内面側で且つ前壁面１０２の上部に雄面ファスナー５０１を装着し、基台３０２の後部に雄面ファスナー５０２を設けて、前記雌面ファスナー５０１と着脱自在にする。基台３０２前部には突出した押し圧刻印部３２０を設け、この前側下端部に、取っ手３３２ａ付きのスタンプ蓋３３２を磁石やホックボタン等４００ｂを配置して開閉可能に設ける。
前記押し圧刻印部３２０は、ラップフィルム２００を切る際に、前記引出ガイドの内面側との間にフィルム後端部又は前端部の任意の面部を挟んで押さえることで、ラップ切りと同時に刻印の目印６００をより明確にエンボス付与することができる。
押し圧刻印部３２０は、大きな凹凸刻印形状をラップフィルムに付与して、付与後に平坦に戻らない程度のエンボス形状にすることが好ましい。エンボス形状としては、本例は漢字：之の字を刻印したものであるが、他に屋号、商品名、サービスマーク、ロゴマーク、商標、ラップの後部や前部等の位置表示マーク等々を適宜なエンボスマークを配置する。
【産業上の利用可能性】
【００１７】  本考案のラップケースは、前述のように、優れた作用効果があるため、一般家庭は勿論、ラップ包装業界及びラップ製造産業界に貢献すること多大なものがある。
【符号の説明】
【００１８】  １００：ラップケース
１０１：底壁面
１０２：前壁面
１０３：後壁面
１０４：蓋壁面
１０５，１０６：両側壁面
１０７：引出しガイド
１０８：切り刃
２００：ラップフィルム
２０１：ラップフィルムの先端部
３００：スタンプ器
３００−１：スタンプ器
３００−２：スタンプ器
３０１、３０２：基台
３０１ａ：跨ぎ部材
３１０：インク塗布部
３２０：押し圧刻印部
３３１，３３２：スタンプ蓋
３３１ａ、３３２ａ：取っ手
４００ａ，４００ｂ：着脱具
５０１：雌面ファスナー
５０２：雄面ファスナー
【図１】
0003207243.tif 000003
【図２】
0003207243.tif 000004
【図３】
0003207243.tif 000005
【図４】
0003207243.tif 000006
【図５】
0003207243.tif 000007
【図６】
0003207243.tif 000008
【図７】
0003207243.tif 000009
【図８】
0003207243.tif 000010
【図９】
0003207243.tif 000011